(57)【要約】【課題】  駆動時の発熱に起因する温度変化を適切に把握し管理することでより高い安全性を維持し得るように構成した遊技機を提供する。【解決手段】  スロットマシン１００は、電動モータ１１８の駆動で回胴リールＲ１，Ｒ２，Ｒ３を回転させる回胴リール装置２００を備え、回胴リールＲ１，Ｒ２，Ｒ３を回転又は停止させることに基づいて遊技を行うように構成されている。このスロットマシン１００では、電動モータ１１８の駆動時の発熱に起因して変化する温度を検出する温度検出手段（１１２、１２２）と、温度検出手段による検出温度が規定値に達したか否かを判定する判定手段１１３と、判定手段１１３により検出温度ｔが規定値に達したと判定されたとき、電動モータ１１８」に供給する駆動電流を低減するように制御するモータ制御手段１１４とを備えている。【選択図】  図４
2005137475.tif 000002
【特許請求の範囲】
【請求項１】
電動モータの駆動で回胴リールを回転させる回胴リール装置を備え、前記回胴リールを回転又は停止させることに基づいて遊技を行ってなる遊技機において、
前記電動モータの駆動時の発熱に起因して変化する温度を検出する温度検出手段と、
前記温度検出手段による検出温度が規定値に達したか否かを判定する判定手段と、
前記判定手段により前記検出温度が前記規定値に達したと判定されたとき、前記電動モータに供給する駆動電流を低減するように制御するモータ制御手段とを備えることを特徴とする遊技機。
【請求項２】
前記電動モータがステッピングモータからなり、
前記モータ制御手段は、
前記検出温度が前記規定値未満である通常制御時には、前記ステッピングモータに第１の駆動電流を供給し、
前記検出温度が前記規定値に達した電流低減制御時には、前記ステッピングモータに前記第１の駆動電流より低い第２の駆動電流を供給し且つ前記通常制御時より低いパルス周波数を与えるように制御することを特徴とする請求項１に記載の遊技機。
【請求項３】
前記温度検出手段は、フィルム状のサーミスタを備えて構成されることを特徴とする請求項１又は２に記載の遊技機。
【請求項４】
前記サーミスタは、前記電動モータのハウジングの近傍に配置されていることを特徴とする請求項３に記載の遊技機。
【請求項５】
前記サーミスタは、前記電動モータのハウジングの壁面に直接貼付されていることを特徴とする請求項３に記載の遊技機。
【発明の詳細な説明】
【技術分野】
【０００１】
本発明は、スロットマシン等の遊技機に関し、詳しくは、回胴リール回転用の電動モータの駆動時の発熱に対して適切に対処し得るように構成した遊技機に関する。
【背景技術】
【０００２】
一般に、遊技機、例えばスロットマシンとして、複数種の絵柄からなるシンボルマークを円周方向に多数備えた横３列の回胴リールを、スタートレバー操作に基づき回転させた後、３個のストップボタンを夫々押圧操作することで、各ボタンに対応する回胴リールを順次停止させて、各回胴リールに備えたシンボルマークのうちの所定の絵柄同士が一致したときに当たりとなり、多数のコインがコイン受け皿に放出される構造のものが知られている（例えば、特許文献１参照）。
【０００３】
上記特許文献１に記載されたものを含むスロットマシンは一般に、回胴リールの裏面側から当該回胴リールの多数のシンボルマークを照明して所謂目押しを容易にするためのバックランプを備えており、回胴リールを停止させてシンボルマークを揃える際等に視覚的な演出を行って、遊技者の興味を高めて遊技性を向上させるように構成されている。
【０００４】
【特許文献１】特開２００３−２７５３７２号公報（図１乃至図３参照）
【発明の開示】
【発明が解決しようとする課題】
【０００５】
ところで、上述したようなスロットマシンにあっては、回胴リールを回転駆動する電動モータがその駆動に起因して発熱するため、この発熱による電動モータ自体の故障を防止し、更には発熱によって遊技機内部が異常高温状態にならないようにするなど、当該熱の発生を適切に管理することが、より高い安全性を維持する上で重要である。
【０００６】
そこで、本発明は、電動モータの駆動時の発熱に起因する温度変化を適切に把握し管理することでより高い安全性を維持し得るように構成し、もって上述した課題を解決した遊技機を提供することを目的とするものである。
【課題を解決するための手段】
【０００７】
請求項１に記載の発明は、電動モータの駆動で回胴リールを回転させる回胴リール装置を備え、前記回胴リールを回転又は停止させることに基づいて遊技を行ってなる遊技機において、
前記電動モータの駆動時の発熱に起因して変化する温度を検出する温度検出手段と、
前記温度検出手段による検出温度が規定値に達したか否かを判定する判定手段と、
前記判定手段により前記検出温度が前記規定値に達したと判定されたとき、前記電動モータに供給する駆動電流を低減するように制御するモータ制御手段とを備えることを特徴とする。
【０００８】
請求項２に記載の発明は、請求項１に記載の遊技機の発明において、電動モータがステッピングモータからなり、
前記モータ制御手段は、
前記検出温度が前記規定値未満である通常制御時には、前記ステッピングモータに第１の駆動電流を供給し、
前記検出温度が前記規定値に達した電流低減制御時には、前記ステッピングモータに前記第１の駆動電流より低い第２の駆動電流を供給し且つ前記通常制御時より低いパルス周波数を与えるように制御することを特徴とする。
【０００９】
請求項３に記載の発明は、請求項１又は２に記載の遊技機の発明において、前記温度検出手段が、フィルム状のサーミスタを備えて構成されることを特徴とする。
【００１０】
請求項４に記載の発明は、請求項３に記載の遊技機の発明において、前記サーミスタが、前記電動モータのハウジングの近傍に配置されていることを特徴とする。
【００１１】
請求項５に記載の発明は、請求項３に記載の遊技機の発明において、前記サーミスタが、前記電動モータのハウジングの壁面に直接貼付されていることを特徴とする。
【発明の効果】
【００１２】
請求項１に記載の発明によれば、温度検出手段が電動モータの駆動時の発熱に起因して変化する温度を検出し、温度検出手段による検出温度が規定値に達したか否かを判定手段が判定し、検出温度が規定値に達したと判定手段により判定されたとき、モータ制御手段が電動モータの回転速度を当該判定時点での回転速度に比して低減するので、たとえ電動モータ駆動時の発熱に起因して遊技機本体が高温になろうとしたとしても、電動モータの回転速度の低減により、異常発熱を確実に抑え回避して、より高い安全性を維持できると共に、これに伴う消費電力の削減も期待できる。そして、遊技機に搭載した電子部品等に対する温度上昇時の悪影響を確実に回避することができる。
【００１３】
請求項２に記載の発明によれば、モータ制御手段が、通常制御時には第１の駆動電流を供給し、電流低減制御時には第１の駆動電流より低い第２の駆動電流を供給し且つ通常制御時より低いパルス周波数を与えるように制御するので、電流低減制御時において駆動電流の低減により回胴リールのトルクが低下しても、ステッピングモータに与えるパルス周波数を低くすることによって回胴リールの回転を低減でき、従って、リール回転上何らの支障もなく駆動電流を低減して発熱を効果的に抑えることができる。
【００１４】
請求項３に記載の発明によれば、温度検出手段がフィルム状のサーミスタを備えて構成されるので、電動モータの形状やその近傍の状況に拘わらず、サーミスタを所望の状態に容易に設置することができる。
【００１５】
請求項４に記載の発明によれば、サーミスタが電動モータのハウジングの近傍に配置されるので、サーミスタの設置を比較的容易にすることができる。
【００１６】
請求項５に記載の発明によれば、サーミスタが電動モータのハウジングの壁面に直接貼付されるので、電動モータ駆動時の温度検出をより正確に実施することができる。
【発明を実施するための最良の形態】
【００１７】
以下、本発明の遊技機の実施形態として、遊技場等に設置されるスロットマシンについて図１乃至図５を参照して説明する。
【００１８】
図１は本スロットマシン１００の外部構造を示す正面図、図２は本スロットマシン１００の外部構造を示す斜視図、図３は前扉を開放した状態で本スロットマシン１００の内部構造を示す背面図、図４は本スロットマシン１００に搭載された主基板を含む制御系全体を概略的に示す回路図、図５は本スロットマシン１００における制御の具体例を示すフローチャートである。図６乃至図８は夫々、サーミスタ１２２の具体的な設置構造を示す正面図、側面図、平面図（上面図）である。なお、図２において、図１に示す回胴リールＲ１，Ｒ２，Ｒ３、透過窓ＷＤ及び放音部１０５ｃは図示を省略している。
【００１９】
本スロットマシン１００は、図１及び図２に示すように、略箱体状の筐体１０２と、筐体１０２の一側部に開閉自在に取り付けられて遊技者に面する前扉１０１とを備えて構成されている。
【００２０】
前扉１０１は、上部パネル部１０３と中部パネル部１０４と下部パネル部１０５とを備え、全体的に金属製のフレーム（図示略）と硬質プラスチックで成形された前面パネルとで形成されることによって、機械的に強固な構造を有している。
【００２１】
上部パネル部１０３には、上部ランプと呼ばれる演出用ランプ１０３ａと、スピーカが取り付けられた放音部１０３ｂ，１０３ｃと、液晶ディスプレイ等で形成された演出表示装置１０３ｄとが設けられている。
【００２２】
中部パネル部１０４には、複数個（本実施形態では３個）の回胴リールＲ１，Ｒ２，Ｒ３を備えた回胴リール装置２００が設けられていると共に、回胴リール装置２００の側方に演出用ランプ１０４ａ，１０４ｂが設けられている。また、中部パネル部１０４の回胴リールＲ１に隣接する位置にはサイドランプ１０６が設けられ、中部パネル部１０４の回胴リールＲ３に隣接する位置にはドットユニット１０８が設けられている。更に、中部パネル部１０４におけるサイドランプ１０６の上部、及びドットユニット１０８の上部には、夫々警告ランプ１２１ａ，１２１ｂが設けられている。
【００２３】
なお、回胴リールＲ１，Ｒ２，Ｒ３の前方には、透明な硬質プラスチック板で形成された略長方形の透過窓ＷＤが設けられ、これによって回胴リール装置２００を外部から保護すると共に、遊技者が透過窓ＷＤを介して回胴リールＲ１，Ｒ２，Ｒ３を視認することが可能となっている。
【００２４】
更に、中部パネル部１０４の下端には遊技者が操作するための操作部１０４ｃが設けられ、当該操作部１０４ｃには、遊技用メダルを投入するためのメダル投入部ＭＤと、１ゲーム当たりのメダル数を提示するためのベットボタンＢ１，Ｂ２，Ｂ３と、１ゲームの開始を指示するためのスタートレバーＳＴと、回転中の回胴リールＲ１，Ｒ２，Ｒ３を個別に停止させるための３個のストップボタンＳＰ１，ＳＰ２，ＳＰ３が設けられている。
【００２５】
下部パネル部１０５には、本スロットマシン１００のゲーム内容に関連した画像等（図示略）が描かれており、遊技者の獲得したメダルを払い出すための排出口１０５ａ及び受皿１０５ｂと、スピーカが取り付けられた放音部１０５ｃが設けられている。
【００２６】
次に、図３を参照して、前扉１０１の裏面構造と、筐体１０２の内部構造を概説する。なお、図３は前扉１０１を開錠して筐体１０２から開いた状態を表している。
【００２７】
同図において、前扉１０１の裏面上部に、上述の放音部１０３ｂ，１０３ｃを構成するスピーカＳＲ，ＳＬが設けられ、スピーカＳＲ，ＳＬの間に演出表示装置１０３ｄが設けられると共に、演出表示装置１０３ｄの裏面側にサブ制御基板３００が取り付けられている。
【００２８】
演出表示装置１０３ｄ及びサブ制御基板３００の下方には、上述の透過窓ＷＤと中部パネル部１０４のパネル面とが形成された略長方形の枠体１０４ｄが取り付けられている。この枠体１０４ｄの下方には、メダル投入部ＭＤより投入される投入物を正規の遊技用メダルか異物かを判別して振り分ける振分機構（セレクタ）Ｇ０と、振分機構Ｇ０で振り分けられた遊技用メダルを筐体１０２側に設けられているホッパ装置ＨＰへ案内するガイド部材Ｇ１と、振分機構Ｇ０で振り分けられた異物を排出口１０５ａへ案内して排出するガイド部材Ｇ２と、ホッパ装置ＨＰから出力される払い出し用のメダルを排出口１０５ａへ案内して出力するガイド部材Ｇ３が設けられ、更に排出口１０５ａの近傍に、スピーカＳＷが放音部１０５ｃに対応させて取り付けられている。
【００２９】
更に、上述の枠体１０４ｄと振分機構Ｇ０との間の領域に長尺状の中央表示基板４００が取り付けられ、当該中央表示基板４００の裏面側の一端に、設定切替えボタンＣＳと、数字の０から６までのセグメント表示を行う発光ダイオードで形成された設定表示素子ＣＴが設けられている。
【００３０】
筐体１０２内には、電源ユニットＰＷＵと、ホッパ装置ＨＰから溢れた遊技用メダルを収容するための補助貯留部ＳＨＰと、上述の透過窓ＷＤに対向する回胴リールＲ１，Ｒ２，Ｒ３を備えた回胴リール装置２００とが設けられる他、電源ユニットＰＷＵの側面に電源装置基板５００、回胴リール装置２００の上端に回胴装置基板６００、回胴リール装置２００の上方に主基板７００、筐体１０２の内壁の一端に外部集中端子装置としての外部集中端子基板８００が夫々取り付けられている。
【００３１】
電源装置基板５００には、電源スイッチＢＱ、ホッパ装置ＨＰ、電源ユニットＰＷＵが配線接続され、電源スイッチＢＱから出力されるオンオフ信号を主基板７００中のマイクロプロセッサへ転送する。なお、電源装置基板５００の前面上部側に位置して、出玉率の設定変更を行うための設定スイッチＢＯが設けられている。
【００３２】
回胴装置基板６００には、電動モータ１１８（図４参照）によって回転駆動される回胴リールＲ１，Ｒ２，Ｒ３を備えた回胴リール装置２００が配線接続されている。この回胴装置基板６００は、主基板７００中のマイクロプロセッサから供給されるリール制御信号に従って、電動モータ１１８を制御することにより、回胴リールＲ１，Ｒ２，Ｒ３の回転と制動及び停止の制御を行う。
【００３３】
外部集中端子基板８００は、主基板７００中のマイクロプロセッサから出力される複数種の信号を並列入力することが可能な複数個の入力端子（図示せず）と、当該信号を管理用電子装置としてのホールコンピュータ側へ並列転送することが可能な複数個の出力端子（図示せず）とを備える他、ホールコンピュータ側から供給される信号を入力する入力端子（図示せず）及び上記マイクロプロセッサ（図示せず）へ転送する出力端子（図示せず）を備えて構成され、更に上記複数種の信号を一方向にのみ転送する信号転送回路が設けられている。
【００３４】
上述の主基板７００と、サブ制御基板３００、回胴装置基板６００、中央表示基板４００、電源装置基板５００及び外部集中端子基板８００は、何れも導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成され、特に、主基板７００とサブ制御基板３００と外部集中端子基板８００とは、夫々硬質プラスチックの収納ケース内に個別に収納されたユニット構造となっている。
【００３５】
引き続き、図４のブロック図を参照して、本実施形態における制御システムの構成を説明する。なお、同図において、図３に示した電源装置基板５００、回胴装置基板６００、及び外部集中端子基板８００は図示を省略している。
【００３６】
図４に示すように、主基板７００には、サブ制御基板３００、中央制御基板４００、電源ユニットＰＷＵ、回胴リールＲ１，Ｒ２，Ｒ３を個別に回転駆動するための３個の電動モータ１１８、及びサーミスタ１２２が接続されている。中央表示基板４００には、スタートレバーＳＴ及びストップボタンＳＰ（ＳＰ１，ＳＰ２，ＳＰ３）、並びに振分け機構（セレクタ）ＧＯが接続されており、電源ユニットＰＷＵにはメダルホッパＨＰが接続されている。
【００３７】
電動モータ１１８は、ステッピングモータからなり、後述のモータ制御手段１１４から駆動電流が供給され且つその際の電気パルス信号に応答し、断続的なステップ増加分に応じてロータを回転させるように構成され、高精度の位置決めと動作の反復性を持つように構成される。電動モータ１１８は、図示しない固定子（ステータ）及び回転子（ロータ）と、これらを収容するハウジング１１８ａ（図６参照）とを備えて構成されており、回転子は、ハウジング１１８ａに固定された固定子に対して自在に回転するように支持されている。電動モータ１１８はまた、与えられるパルス周波数に比例してその回転速度が変化するように構成されている。
【００３８】
上記サーミスタ１２２は、後述する温度算出手段１１２とによって温度検出手段を構成するもので、駆動に起因して発熱する電動モータ１１８の上記ハウジング１１８ａに直接的に貼付されており、その設置場所での温度変化に応じて電気抵抗を変化させる機能を有している。
【００３９】
本実施形態では、上記サーミスタ１２２にフィルム状のものを採用しており、このサーミスタ１２２を、上述のように電動モータ１１８のハウジング１１８ａに直接貼付して設けることによって、温度検出時の精度をより高めている。この場合のサーミスタ１２２の具体的な設置構造を図６乃至図８に示す。図６乃至図８は夫々、サーミスタ１２２の具体的な設置構造を示す正面図、側面図、平面図（上面図）である。
【００４０】
即ち、図６乃至図８に示すように、回胴リール装置２００では、リールカバー１２３とリール底板１２４とリール天板１２６とによって囲まれ、且つモータ取付板１２５によって仕切られた空間内に夫々、回胴リールＲ１，Ｒ２，Ｒ３が回転可能に収容配置されている。回胴リールＲ１，Ｒ２，Ｒ３は夫々、中心部に設けられた電動モータ１１８の作動によって回転駆動するように構成される。各電動モータ１１８は夫々、上述した固定子及び回転子を収容するハウジング１１８ａを備えており、当該ハウジング１１８ａの壁面に、上記フィルム状のサーミスタ１２２を貼付した形で備えている。
【００４１】
なお、サーミスタ１２２として通常タイプのものを採用する場合には、上述のように電動モータ１１８に直接貼付するのではなく、例えば、当該電動モータ１１８を設置した部位における該モータ１１８の近傍に配置することができる。このような通常タイプや上記フィルム状のサーミスタ１２２が、電動モータ１１８のハウジング１１８ａの近傍に配置される場合には、当該サーミスタ１２２の設置を比較的容易にすることができる。また、上述のようにフィルム状のサーミスタ１２２を電動モータ１１８のハウジング１１８ａの壁面に直接貼付する場合には、電動モータ１１８駆動時の温度検出をより正確に行うことができる。
【００４２】
図４に図示はしていないが、中央表示基板４００には、スタートレバーＳＴ等以外に、ベットボタンＢ１，Ｂ２，Ｂ３（図１及び図２参照）、設定表示素子ＣＴ及び設定切替えボタンＣＳ（図２参照）が接続されている。この中央表示基板４００は、振分機構Ｇ０から出力されるメダル検出信号と、ベットボタンＢ１，Ｂ２，Ｂ３、スタートレバーＳＴ及びストップボタンＳＰ１，ＳＰ２，ＳＰ３から夫々出力されるオンオフ信号とを、主基板７００中の上記マイクロプロセッサへ転送すると共に、マイクロプロセッサから供給されるセグメント表示信号に基づいて、設定表示素子ＣＴに０から６までの数字を表示させる機能を有している。
【００４３】
また、サブ制御基板３００には、回胴リールＲ１，Ｒ２，Ｒ３に夫々内蔵されるバックランプ１０７と、演出用ランプ１０３ａ，１０４ａ，１０４ｂと、サイドランプ１０６と、液晶表示装置１０３ｄと、ドットユニット１０８と、スピーカＳＲ、ＳＬ、ＳＷと、ＥＬ（エレクトロルミネッセンス）基板１０９とが夫々配線ケーブルを介して接続されている。
【００４４】
上記主基板７００は、本スロットマシン１００の動作全体を管理するシステムプログラム及びスロットマシンゲーム用の実行プログラムが予め記憶された半導体メモリ等からなる不図示の記憶部と、これらのプログラムを実行する不図示のマイクロプロセッサ（ＭＰＵ）とを備えている。当該マイクロプロセッサに設けられた入力ポート及び出力ポートと、残余の基板３００，４００，５００，６００，８００との間は配線ケーブルによって接続されている。
【００４５】
そして主基板７００は、温度算出手段１１２と、判定手段１１３と、モータ制御手段１１４とを備えている。
【００４６】
温度算出手段１１２は、電動モータ１１８の駆動時の発熱に起因して変化する温度を、上記サーミスタ１２２の電気抵抗の変化に基づいて算出する。
【００４７】
判定手段１１３は、温度算出手段１１２によって算出（検出）された温度（検出温度ｔ）が、予め設定された規定値（図５におけるステップＳ４の７０℃を参照）以上になったか否か（つまり、規定値に達したか否か）を判定し、その判定結果をモータ制御手段１１４に出力する。
【００４８】
モータ制御手段１１４は、上記検出温度ｔが規定値に達したと判定手段１１３により判定されたとき、つまり検出温度ｔが規定値に達した旨の信号を判定手段１１３から受信したとき、電動モータ１１８に供給する駆動電流を低減するように制御する。即ち、モータ制御手段１１４は、検出温度ｔが規定値（例えば７０℃）未満である通常制御時には、電動モータ１１８に第１の駆動電流（例えば１．０Ａ(図５のステップＳ５参照)）を供給し、検出温度ｔが規定値（例えば７０℃）に達した電流低減制御時には、電動モータ１１８に上記第１の駆動電流より低い第２の駆動電流（例えば０．７Ａ(図５のステップＳ１０参照)）を供給し且つ通常制御時より低いパルス周波数を与えて回転数を低下させるように制御する。
【００４９】
また、上記サブ制御基板３００は、主基板７００中の上記マイクロプロセッサから供給される演出制御信号に従って、実装された電気回路が演出用スピーカＳＲ，ＳＬ，ＳＷと、演出用ランプ１０３ａ，１０４ａ，１０４ｂと、演出表示装置１０３ｄとを夫々駆動して、遊技者の視覚に訴える演出表示を行うように機能する。
【００５０】
次に、本スロットマシン１００の作動を、図５のフローチャートに沿って説明する。まず、遊技場係員により電源がオン（ＯＮ）されると（ステップＳ１）、電源ユニットＰＷＵから対応する部位への電源供給が開始される。そして、遊技者がメダル投入部ＭＤから遊技メダルを投入し（ステップＳ２）、スタートレバーＳＴを押下してオン（ＯＮ）した時点（ステップＳ３）から、温度算出手段１１２が、電動モータ１１８の発熱に起因して変化する温度（検出温度ｔ）と、予め設定された規定値（本実施形態では７０℃）とを比較・判定する処理を開始する（ステップＳ４）。
【００５１】
上記ステップＳ４では、作動開始からまだ間がないために温度上昇は見られず、従って、判定手段１１３による判定結果は規定値未満として判定されて、処理はステップＳ５に進む。このステップＳ５（通常制御時）では、モータ制御手段１１４が第１の駆動電流（１．０Ａ）を電動モータ１１８に供給する定電流制御を実行するので、電動モータ１１８、即ち３個の電動モータ１１８に対応する回胴リールＲ１，Ｒ２，Ｒ３が第１の駆動電流に応じた回転速度（５００ｐｐｓ(pulse per second)）で一方向に一斉に回転し始める。そして、遊技者がストップボタンＳＰ１，ＳＰ２，ＳＰ３を夫々に押圧してオン（ＯＮ）すると（ステップＳ７）、回胴リールＲ１，Ｒ２，Ｒ３の対応するものから順に回転が停止する（ステップＳ８）。
【００５２】
この時点で、次なる遊技を行うか否かを遊技者等が判断するのであるが、この際は、遊技開始から間がなくそれほどの温度上昇も見られないので、何らの問題もなく、遊技者は、ステップＳ２からの次なる遊技に移行する。
【００５３】
一方、次なる遊技の進行に伴い、ステップＳ４において判定手段１１３が、検出温度ｔが規定値７０℃以上になったと判定した場合には、判定手段１１３がその旨の信号をモータ制御手段１１４に出力する。これによりモータ制御手段１１４が、３個の電動モータ１１８に夫々、第１の駆動電流より低い第２の駆動電流（０．７Ａ）を供給し且つ通常制御時より低いパルス周波数を与えて、回胴リールＲ１，Ｒ２，Ｒ３の各回転速度を３５０ｐｐｓに低減する制御（電流低減制御）を行う。そして、制御はステップＳ７に移行して、ストップボタンＳＰ１，ＳＰ２，ＳＰ３のオン（ステップＳ７）、回胴リールＲ１，Ｒ２，Ｒ３の回転停止（ステップＳ８）、次遊技の判断（ステップＳ４）へと移行する。
【００５４】
以上のように、たとえ電動モータ１１８駆動時の発熱に起因して遊技機本体が高温になろうとしたとしても、電動モータ１１８の回転速度の低減により、異常発熱を確実に回避することができ、これにより、発熱による電動モータ自体の故障を防止し、更には発熱で遊技機内部が異常高温状態になるような不具合を回避できるなど、安全性を維持できると共に、これに伴う消費電力の削減も期待できるという効果が得られる。そして、スロットマシン１００に搭載した電子部品（図示せず）等に対する温度上昇時の悪影響を確実に回避することができる。
【００５５】
更に、モータ制御手段１１４が、通常制御時には第１の駆動電流を供給し、電流低減制御時には第１の駆動電流より低い第２の駆動電流を供給し且つ通常制御時より低いパルス周波数を与えるように制御するので、電流低減制御時において駆動電流の低減により回胴リールＲ１，Ｒ２，Ｒ３のトルクが低下しても、電動モータ１１８に与えるパルス周波数を低くすることで回胴リールＲ１，Ｒ２，Ｒ３の回転数を低下でき、従って、リール回転上何らの支障もなく駆動電流を低減して発熱を効果的に抑えることができる。
【００５６】
そして、或る回数の遊技を行った後、遊技を一時中断した方が良いと判断した際には（ステップＳ４）、遊技場係員が電源ユニットＰＷＵに所定の処置を施すことで電源を遮断する（ステップＳ１２）こともできる。この電源の遮断は、電動モータ１１８以外への電源供給はそのまま継続して行うスリープ状態に移行させるものであり、例えば遊技者が獲得したメダル枚数を記憶しているクレジット等がキャンセルされることのないように実行される。
【００５７】
そして、発熱で温度上昇した部位の冷却に要する適当な時間が経過した時点で、遊技場係員が前扉１０１を開放して電源ユニットＰＷＵを手動で操作して電源を再びオンし、これにより、遊技者は同じスロットマシン１００を使用して遊技を続行することができるようになる。
【００５８】
なお、上述した実施の形態ではいずれも、前扉１０１の前面上部に比較的小型の液晶表示装置１０３ｄを具備したスロットマシン１００を例に挙げて本発明を説明したが、これに限らず、近年の、前扉１０１の前面中央部の略全域を覆いその中央部分を略矩形状に透明化した所謂ドーナツ状の大型液晶表示装置を具備したスロットマシンに本発明を適用しても良いことは勿論である。
【００５９】
以上、本発明をその好適な実施形態例に基づいて説明したが、本発明の遊技機は、上記実施形態例の構成にのみ限定されるものではなく、上記実施形態例の構成から種々の修正及び変更を施した遊技機も、本発明の範囲に含まれる。
【産業上の利用可能性】
【００６０】
本発明に係る遊技機は、駆動中に発熱して温度上昇を招く可能性のある構造の遊技機に用いて有用であり、特に、温度上昇に起因して生じ易い不具合を回避する必要がある遊技機に適している。
【図面の簡単な説明】
【００６１】
【図１】本発明に係るスロットマシンの外部構造を示す正面図である。
【図２】本スロットマシン外部構造を示す斜視図である。
【図３】前扉を開放した状態で本スロットマシンの内部構造を示す背面図である。
【図４】本スロットマシンに搭載された主基板を含む制御系全体を概略的に示す回路図である。
【図５】本スロットマシンにおける制御の具体例を示すフローチャートである。
【図６】サーミスタの具体的な設置構造を示す正面図である。
【図７】サーミスタの具体的な設置構造を示す側面図である。
【図８】サーミスタの具体的な設置構造を示す平面図である。
【符号の説明】
【００６２】
１００…スロットマシン（遊技機）
１０１…前扉
１０２…筐体
１１２…温度算出手段
１１３…判定手段
１１４…モータ制御手段
１１８…電動モータ（発熱要素、ステッピングモータ）
１１８ａ…ハウジング
１２２…サーミスタ
３００…サブ制御基板
７００…主基板
【図１】
2005137475.tif 000003
【図２】
2005137475.tif 000004
【図３】
2005137475.tif 000005
【図４】
2005137475.tif 000006
【図５】
2005137475.tif 000007
【図６】
2005137475.tif 000008
【図７】
2005137475.tif 000009
【図８】
2005137475.tif 000010